(57)【特許請求の範囲】
【請求項１】
エアコンの制御方法であって、前記エアコンは、送風口を有し、前記送風口に連通される送風風道が内部に設けられる筐体と、複数の散気孔が設けられ、回動して前記送風口を開けるかまたは被さるように、１つの回転軸を介して前記送風口の下側に回動可能に取り付けられる第１導風板と、前記送風風道内に取り付けられる第２導風板と、を含む室内機を含み、前記エアコンの制御方法は、
無風感運転モードにおいて、室内環境の湿度を取得するステップと、
前記室内環境の湿度に応じて前記第１導風板の遮風位置を確定するステップと、
前記第１導風板を制御して前記遮風位置まで回動させるステップと、を含み、
前記室内環境の湿度に応じて前記第１導風板の遮風位置を確定するステップは、
前記室内環境の湿度が存在する湿度区間を判断するステップと、
前記湿度区間に応じて対応する遮風位置を確定するステップと、を含み、
前記室内環境の湿度が存在する湿度区間を判断するステップは、
前記室内環境の湿度が第１所定湿度以下であるか否かを判断するステップと、
前記室内環境の湿度が第１所定湿度以下である場合に、前記室内環境の湿度が第１所定湿度区間に存在することを確定するステップと、
前記室内環境の湿度が第１所定湿度以下ではない場合に、前記室内環境の湿度が第２所定湿度以上であるか否かを判断するステップと、
前記室内環境の湿度が第２所定湿度以上である場合に、前記室内環境の湿度が第２所定湿度区間に存在することを確定するステップと、を含み、
前記湿度区間に応じて対応する遮風位置を確定するステップは、
前記室内環境の湿度が第１所定湿度区間に存在する場合に、前記遮風位置を第１位置として確定するステップと、
前記室内環境の湿度が第２所定湿度区間に存在する場合に、前記遮風位置を第２位置として確定するステップと、を含み、
前記第１位置に対応するエアコンの送風面積は前記第２位置に対応するエアコンの送風面積より小さく、
前記無風感運転モードにおいて、室内環境の湿度を取得するステップの前に、
前記無風感運転モードをオンにする指示を受信した時に、前記第１導風板を制御して前記第２位置まで回動させるステップがさらに含まれ、
前記第２位置での前記第１導風板の開度は、正常運転モードにおける前記第１導風板の開度よりも小さく、
前記遮風位置が前記第２位置である時に、前記第１導風板は前記送風口の一部を塞ぐ、
エアコンの制御方法。
【請求項２】
前記遮風位置が前記第１位置である時に、前記第１導風板は前記送風口に被さる、請求項１に記載のエアコンの制御方法。
【請求項３】
前記遮風位置に対応するエアコンの送風面積は湿度の増大につれて増大する、請求項１に記載のエアコンの制御方法。
【請求項４】
前記第１導風板が前記送風口に被さる時に、前記第１導風板の上縁と前記回転軸とが位置する平面を基準面として定義し、前記第１導風板が前記送風口を開ける時に、前記第１導風板の上縁と前記回転軸とが位置する平面を活動面として定義し、前記活動面と前記基準面との角度をαとして定義し、前記第２位置に対応する前記αの値の範囲は［２５°，３５°］である、請求項１に記載のエアコンの制御方法。
【請求項５】
前記第１導風板の上縁と前記送風口の上縁との間隔距離をＭとして定義し、前記第２位置に対応する前記Ｍの値の範囲は［４０ｍｍ，６０ｍｍ］である、請求項４に記載のエアコンの制御方法。
【請求項６】
前記第１導風板の下縁と前記送風口の下縁との間隔距離をＮとして定義し、前記第２位置に対応する前記Ｎの値の範囲は［１５ｍｍ，３５ｍｍ］である、請求項５に記載のエアコンの制御方法。
【請求項７】
前記第１導風板を制御して前記遮風位置まで回動させるステップは、
第１導風板を制御して前記遮風位置まで回動させながら、前記第２導風板を制御して現在の導風位置に維持させるステップを含む、請求項１に記載のエアコンの制御方法。
【請求項８】
前記室内環境の湿度に応じて前記第１導風板の遮風位置を確定するステップの後に、
確定した遮風位置に応じて前記第２導風板の偏向角度を確定し、前記第２導風板によってユーザから離れるようにエアコンの送風方向を制御するステップがさらに含まれる、請求項１に記載のエアコンの制御方法。
【請求項９】
前記室内環境の湿度に応じて前記第１導風板の遮風位置を確定するステップは、
前記室内環境の湿度と複数の所定湿度とをマッチングするステップと、
前記室内環境の湿度にマッチングされた所定湿度が存在する場合に、マッチングされた所定湿度に対応する所定遮風位置を前記第１導風板の遮風位置とするステップと、を含む、請求項１に記載のエアコンの制御方法。
【請求項１０】
メモリーと、プロセッサーと、前記メモリーに記憶されて前記プロセッサーで実行可能なコンピュータープログラムとを含むエアコンの制御装置であって、前記エアコンは、送風口を有し、前記送風口に連通される送風風道が内部に設けられる筐体と、複数の散気孔が設けられ、回動して前記送風口を開けるかまたは被さるように、１つの回転軸を介して前記送風口の下側に回動可能に取り付けられる第１導風板と、を含む室内機を含み、
前記コンピュータープログラムが前記プロセッサーによって実行される時に、
無風感運転モードにおいて、室内環境の湿度を取得するステップと、
前記室内環境の湿度に応じて前記第１導風板の遮風位置を確定するステップと、
前記第１導風板を制御して前記遮風位置まで回動させるステップと、が実現され、
前記室内環境の湿度に応じて前記第１導風板の遮風位置を確定するステップは、
前記室内環境の湿度が存在する湿度区間を判断するステップと、
前記湿度区間に応じて対応する遮風位置を確定するステップと、を含み、
前記室内環境の湿度が存在する湿度区間を判断するステップは、
前記室内環境の湿度が第１所定湿度以下であるか否かを判断するステップと、
前記室内環境の湿度が第１所定湿度以下である場合に、前記室内環境の湿度が第１所定湿度区間に存在することを確定するステップと、
前記室内環境の湿度が第１所定湿度以下ではない場合に、前記室内環境の湿度が第２所定湿度以上であるか否かを判断するステップと、
前記室内環境の湿度が第２所定湿度以上である場合に、前記室内環境の湿度が第２所定湿度区間に存在することを確定するステップと、を含み、
前記湿度区間に応じて対応する遮風位置を確定するステップは、
前記室内環境の湿度が第１所定湿度区間に存在する場合に、前記遮風位置を第１位置として確定するステップと、
前記室内環境の湿度が第２所定湿度区間に存在する場合に、前記遮風位置を第２位置として確定するステップと、を含み、
前記第１位置に対応するエアコンの送風面積は前記第２位置に対応するエアコンの送風面積より小さく、
前記無風感運転モードにおいて、室内環境の湿度を取得するステップの前に、
前記無風感運転モードをオンにする指示を受信した時に、前記第１導風板を制御して前記第２位置まで回動させるステップがさらに実現され、
前記第２位置での前記第１導風板の開度は、正常運転モードにおける前記第１導風板の開度よりも小さく、
前記遮風位置が前記第２位置である時に、前記第１導風板は前記送風口の一部を塞ぐ、
エアコンの制御装置。
【請求項１１】
メモリーと、プロセッサーと、前記メモリーに記憶されて前記プロセッサーで実行可能なコンピュータープログラムとを含むエアコンの制御装置を備えるエアコンであって、前記エアコンは、送風口を有し、前記送風口に連通される送風風道が内部に設けられる筐体と、複数の散気孔が設けられ、回動して前記送風口を開けるかまたは被さるように、１つの回転軸を介して前記送風口の下側に回動可能に取り付けられる第１導風板と、を含む室内機を含み、
前記コンピュータープログラムが前記プロセッサーによって実行される時に、
無風感運転モードにおいて、室内環境の湿度を取得するステップと、
前記室内環境の湿度に応じて前記第１導風板の遮風位置を確定するステップと、
前記第１導風板を制御して前記遮風位置まで回動させるステップと、が実現され、
前記室内環境の湿度に応じて前記第１導風板の遮風位置を確定するステップは、
前記室内環境の湿度が存在する湿度区間を判断するステップと、
前記湿度区間に応じて対応する遮風位置を確定するステップと、を含み、
前記室内環境の湿度が存在する湿度区間を判断するステップは、
前記室内環境の湿度が第１所定湿度以下であるか否かを判断するステップと、
前記室内環境の湿度が第１所定湿度以下である場合に、前記室内環境の湿度が第１所定湿度区間に存在することを確定するステップと、
前記室内環境の湿度が第１所定湿度以下ではない場合に、前記室内環境の湿度が第２所定湿度以上であるか否かを判断するステップと、
前記室内環境の湿度が第２所定湿度以上である場合に、前記室内環境の湿度が第２所定湿度区間に存在することを確定するステップと、を含み、
前記湿度区間に応じて対応する遮風位置を確定するステップは、
前記室内環境の湿度が第１所定湿度区間に存在する場合に、前記遮風位置を第１位置として確定するステップと、
前記室内環境の湿度が第２所定湿度区間に存在する場合に、前記遮風位置を第２位置として確定するステップと、を含み、
前記第１位置に対応するエアコンの送風面積は前記第２位置に対応するエアコンの送風面積より小さく、
前記無風感運転モードにおいて、室内環境の湿度を取得するステップの前に、
前記無風感運転モードをオンにする指示を受信した時に、前記第１導風板を制御して前記第２位置まで回動させるステップがさらに実現され、
前記第２位置での前記第１導風板の開度は、正常運転モードにおける前記第１導風板の開度よりも小さく、
前記遮風位置が前記第２位置である時に、前記第１導風板は前記送風口の一部を塞ぐ、
エアコン。
【発明の詳細な説明】
【技術分野】
【０００１】
本願はエアコン技術の分野に関し、特にエアコンの制御方法、エアコンの制御装置およびエアコンに関する。
【背景技術】
【０００２】
人々の生活レベルの継続的な向上につれて、エアコンの快適性に対する要求もますます高まる。従来のエアコンは、気流がユーザーに直接吹き付けられることを防ぎ、ユーザーの無風感のニーズを実現するために、送風口の送風量を削減し、気流を分散し、並びに送風口の風速を低減するように、一般に、遮風構造として、散気孔を有する導風板が送風口に設置される。
【０００３】
しかしながら、従来のエアコンは無風感モードにおいて、導風板の遮風位置が室内環境の湿度の変化につれて変化しない。湿度が大きい時に、導風板が位置する遮風位置で送風量が不足すれば、高温多湿の空気が導風板の外側面に集まりやすく、凝縮水の現象が発生し、ひいては散気孔を塞いでエアコンの送風に影響を与えてしまう。
【０００４】
上記内容は本願の技術案の理解を助けるために用いられ、上記内容が先行技術だと認めるわけではない。
【発明の概要】
【発明が解決しようとする課題】
【０００５】
本願の主な目的は、ユーザの無風感のニーズを満たしながら、エアコンの凝縮水が発生する現象を避けるエアコンの制御方法を提供することである。
【課題を解決するための手段】
【０００６】
上記目的を実現するために、本願は、エアコンの制御方法であって、前記エアコンは、送風口を有し、前記送風口に連通される送風風道が内部に設けられる筐体と、複数の散気孔が設けられ、回動して前記送風口を開けるかまたは被さるように、１つの回転軸を介して前記送風口の下側に回動するように取り付けられる第１導風板と、前記送風風道内に取り付けられる第２導風板と、を含む室内機を含み、前記エアコンの制御方法は、
無風感運転モードにおいて、室内環境の湿度を取得するステップと、
前記室内環境の湿度に応じて前記第１導風板の遮風位置を確定するステップと、
前記第１導風板を制御して前記遮風位置まで回動させるステップと、を含む。
好ましくは、前記室内環境の湿度に応じて前記第１導風板の遮風位置を確定するステップは、
前記室内環境の湿度が存在する湿度区間を判断するステップと、
前記湿度区間に応じて対応する遮風位置を確定するステップと、を含む。
好ましくは、前記室内環境の湿度に応じて前記第１導風板の遮風位置を確定するステップは、
前記室内環境の湿度と複数の所定湿度とをマッチングするステップと、
前記室内環境の湿度にマッチングされた所定湿度が存在する場合に、マッチングされた所定湿度に対応する所定遮風位置を前記第１導風板の遮風位置とするステップと、を含む。
【０００７】
好ましくは、前記室内環境の湿度が存在する湿度区間を判断するステップは、
前記室内環境の湿度が第１所定湿度以下であるか否かを判断するステップと、
前記室内環境の湿度が第１所定湿度以下である場合に、前記室内環境の湿度が第１所定湿度区間に存在することを確定するステップと、
前記室内環境の湿度が第１所定湿度以下ではない場合に、前記室内環境の湿度が第２所定湿度以上であるか否かを判断するステップと、
前記室内環境の湿度が第２所定湿度以上である場合に、前記室内環境の湿度が第２所定湿度区間に存在することを確定するステップと、を含み、
前記湿度区間に応じて対応する遮風位置を確定するステップは、
前記室内環境の湿度が第１所定湿度区間に存在する場合に、前記遮風位置を第１位置として確定するステップと、
前記室内環境の湿度が第２所定湿度区間に存在する場合に、前記遮風位置を第２位置として確定するステップと、を含み、
前記第１位置に対応するエアコンの送風面積は前記第２位置に対応するエアコンの送風面積より小さい。
【０００８】
好ましくは、前記遮風位置に対応するエアコンの送風面積は湿度の増大につれて増大する。
【０００９】
好ましくは、前記第１導風板が前記送風口に被さる時に、前記第１導風板の上縁と前記回転軸とが位置する平面を基準面として定義し、前記第１導風板が前記送風口を開ける時に、前記第１導風板の上縁と前記回転軸とが位置する平面を活動面として定義し、前記活動面と前記基準面との角度をαとして定義し、前記第２位置に対応する前記αの値の範囲は［２５°，３５°］である。
【００１０】
好ましくは、前記第１導風板の上縁と前記送風口の上縁との間隔距離をＭとして定義し、前記第２位置に対応する前記Ｍの値の範囲は［４０ｍｍ，６０ｍｍ］である。
【００１１】
好ましくは、前記第１導風板の下縁と前記送風口の下縁との間隔距離をＮとして定義し、前記第２位置に対応する前記Ｎの値の範囲は［１５ｍｍ，３５ｍｍ］である。
【００１２】
好ましくは、前記第１導風板を制御して前記遮風位置まで回動させるステップは、
第１導風板を制御して前記遮風位置まで回動させながら、前記第２導風板を制御して現在の導風位置に維持させるステップを含む。
【００１３】
好ましくは、前記室内環境の湿度に応じて前記第１導風板の遮風位置を確定するステップの後に、
確定した遮風位置に応じて前記第２導風板の偏向角度を確定し、前記第２導風板によってユーザから離れるようにエアコンの送風方向を制御するステップがさらに含まれる。
【００１４】
好ましくは、前記遮風位置が前記第１位置である時に、前記第１導風板は前記送風口に被さる。
【００１５】
好ましくは、前記無風感運転モードにおいて、室内環境の湿度を取得するステップの前に、
前記無風感運転モードをオンにする指示を受信した時に、前記第１導風板を制御して前記第２位置まで回動させるステップがさらに含まれる。
【００１６】
また、上記目的を実現するために、本願は、メモリーと、プロセッサーと、前記メモリーに記憶されて前記プロセッサーで実行可能なコンピュータープログラムとを含むエアコンの制御装置であって、前記コンピュータープログラムが前記プロセッサーによって実行される時に、
無風感運転モードにおいて、室内環境の湿度を取得するステップと、
前記室内環境の湿度に応じて前記第１導風板の遮風位置を確定するステップと、
前記第１導風板を制御して前記遮風位置まで回動させるステップと、が実現される、エアコンの制御装置をさらに提供する。
【００１７】
また、上記目的を実現するために、本願は、メモリーと、プロセッサーと、前記メモリーに記憶されて前記プロセッサーで実行可能なコンピュータープログラムとを含むエアコンの制御装置を備えるエアコンであって、前記コンピュータープログラムが前記プロセッサーによって実行される時に、
無風感運転モードにおいて、室内環境の湿度を取得するステップと、
前記室内環境の湿度に応じて前記第１導風板の遮風位置を確定するステップと、
前記第１導風板を制御して前記遮風位置まで回動させるステップと、が実現される、エアコンをさらに提供する。
【００１８】
本願の実施例が提供するエアコンの制御方法によれば、無風感運転モードにおいて、室内環境の湿度を取得し、室内環境の湿度に応じて第１導風板の遮風位置を確定し、第１導風板を制御して上記確定した遮風位置まで回動させ、第１導風板を無風感運転モードにおいて室内環境の湿度に適合される遮風位置まで回動可能にし、ユーザの無風感のニーズを保証しながら、エアコンの凝縮水の現象の発生を避ける。
【図面の簡単な説明】
【００１９】
【図１】本願の実施例におけるエアコンの構造模式図である。
【図２】本願の実施例におけるエアコンの制御方法の運転環境のハードウェアの構造模式図である。
【図３】本願の実施例におけるエアコンの制御方法の第１フローの模式図である。
【図４】本願の実施例におけるエアコンの制御方法の第２フローの模式図である。
【図５】本願の実施例におけるエアコンの制御方法の第３フローの模式図である。
【００２０】
添付図面を参照して、実施例と組み合わせて本願目的の実現、機能特徴及び長所をさらに説明する。
【発明を実施するための形態】
【００２１】
ここで記載される具体的な実施例は、単に本願を解釈するためのものであり、本願を限定することを意図するものではないことは理解されるべきである。
【００２２】
本願の実施例の主な解決案は、エアコンの無風感運転モードにおいて、室内環境の湿度を取得し、室内環境の湿度に応じて第１導風板２００の遮風位置を確定し、第１導風板２００を制御して上記遮風位置まで回動させることである。エアコンは、送風口１１０を有し、当該送風口１１０に連通される送風風道１１１が内部に設けられる筐体１００と、複数の散気孔２１０が設けられて、回動して送風口１１０を開けるかまたは被さるように、１つの回転軸３００を介して送風口１１０の下側に回動するように取り付けられる第１導風板と、送風風道１１１内に設けられる第２導風板７００とを含む、室内機１を含む。
【００２３】
従来の技術では、従来のエアコンは無風感モードにおいて、第１導風板２００の遮風位置が室内環境の湿度の変化につれて変化しない。しかし、湿度が大きい時に、第１導風板２００の外側面に高温多湿の空気が集まりやすく、凝縮水の現象が発生してしまう。
【００２４】
本願は、エアコンの第１導風板２００の位置を湿度につれて変更するような解決案を提供し、ユーザの無風感のニーズを満たしながら、凝縮水の現象の発生を避ける。
【００２５】
本願の実施例において、エアコンの制御方法の運転端末は具体的に言えばエアコンである。図１に示すように、エアコンは、送風口１１０を有し、当該送風口１１０に連通される送風風道１１１が内部に設けられる筐体１００と、複数の散気孔２１０が設けられて、回動して送風口１１０を開けるかまたは被さるように、１つの回転軸３００を介して送風口１１０の下側に回動可能に取り付けられる第１導風板と、送風風道１１１内に回動可能に取り付けられる第２導風板７００とを含む、室内機１、を含む。具体的には、当該エアコンは壁掛け式エアコンであり、室内機１は室内の壁に取り付けられる。
【００２６】
エアコンが冷房の時に、エアコンが正常運転モードにある場合に、第１導風板２００は回転軸３００周りに最大開度まで回動して最大開度に維持され、送風口１１０の正常な送風に影響を与えない。エアコンが無風感運転モードにある時に、第１導風板２００は送風口１１０の下側に取り付けられる回転軸３００周りに回動し、第１導風板２００の上縁が最大開度位置から送風口１１０の上縁に近接して運動し、第１導風板２００が遮風位置まで回動し、遮風位置は具体的に第１導風板２００が送風口１１０に被さる位置か、または送風口１１０の一部を塞ぐ位置である。第１導風板２００が送風口１１０を被せた時に、第１導風板２００が送風口１１０を完全に塞ぎ、エアコンにおける冷風は第１導風板２００における散気孔２１０によって完全に拡散され、送風量および送風速度が低下し、最適な無風感効果が達成でき、ユーザの快適性が向上される。第１導風板２００が送風口１１０の一部を塞いだ時に、第１導風板２００の上縁と送風口１１０の上縁とは一定の隙間が形成され、エアコンにおける冷風は散気孔２１０によって送風されるほかに、上記隙間によって送風されてもよく、第１導風板２００のガイドによって隙間から吹き出された気流が斜め上方に吹き出され、隙間から気流が集まって吹き出されるが、ユーザに直接吹き出されるわけではないため、無風感効果が一定的に実現され、ユーザの快適性が向上される。
【００２７】
第２導風板７００は具体的に送風風道１１１内で回動可能で、エアコンの上下の送風風向および／または左右の送風風向の調節のために用いられる。第２導風板７００には複数の通風孔が設けられてもよく、導風しながら、通風孔の作用によって送風風道内の気流にさらに干渉し、風速を低減し、よって、エアコンの送風の柔風効果が向上され、ユーザの無風感の体験が向上される。具体的には、第２導風板７００は送風風道１１１内に交差して設けられる２枚の導風板を含んでもよく、そのうちの１枚の導風板は、エアコンの上下の送風風向を調節するためのものであり、もう１枚の導風板は、エアコンの左右の送風風向を調節するためのものであり、第２導風板７００は２枚の導風板によってエアコンの送風風向を独立して調節し、無風感モードにおいてユーザのエアコンの冷房に対するニーズに柔軟に適応可能である。
【００２８】
上記エアコンの構造の設置に基づいて、図２に示すように、エアコンは、例えばＣＰＵのようなプロセッサー４００１と、メモリー４００２と、湿度検出モジュール５００と、駆動モジュール６００と、通信バスとをさらに含んでもよい。通信バスはこれらの部品の間の接続通信の実現に用いられる。メモリー４００２は高速ＲＡＭメモリーであってもよく、例えば磁気ディスク記憶装置のような不揮発性メモリー（ｎｏｎ−ｖｏｌａｔｉｌｅ  ｍｅｍｏｒｙ）であってもよい。好ましくは、メモリー４００２は前記プロセッサー４００１から独立した記憶装置であってもよい。
【００２９】
湿度検出モジュール５００はエアコンの室内機１が位置する室内環境の湿度の検出に用いられる。当該湿度検出モジュール５００はエアコンの室内機１上に設けられ、送風口１１０の近くに設置される機能モジュールであってもよく、エアコンから独立してエアコンが位置する室内環境に設けられる独立検出機器であってもよい。
【００３０】
駆動モジュール６００は第１導風板２００の回転軸３００または直接的に第１導風板２００に伝動して接続される。駆動モジュール６００は具体的にモータであってもよく、駆動モジュール６００はプロセッサー４００１の制御指示を受信し、プロセッサー４００１の制御指示によって第１導風板２００を回転軸３００周りに目標位置まで回動するように制御し、目標位置は具体的に上記最大開度位置であってもよく、送風口１１０に被さる位置かまたは送風口１１０の一部を塞ぐ位置であってもよい。
【００３１】
図１に示す端末構造は、端末をそれに限定するわけではなく、図示されたものよりも多いまたは少ない部品、またはある部品の組み合わせ、または異なる部品の配置を含んでもよいことを、当業者は理解することができる。
【００３２】
図２に示すように、コンピューター記憶媒体であるメモリー４００２は、エアコン制御プログラムを含んでもよく、エアコンにおいて、プロセッサー４００１はメモリー４００２に記憶されたエアコンの制御プログラムを呼び出し、以下の実施例におけるエアコンの制御方法の関連ステップの操作を実行するために用いられる。
【００３３】
また、本願実施例においては、エアコン制御装置４００がさらに提供される。図２に示すように、当該エアコン制御装置４００は上記したプロセッサー４００１と、メモリー４００２と、前記メモリー４００２に記憶されて前記プロセッサー４００１で実行可能なエアコン制御プログラムとを含み、前記エアコン制御プログラムが前記プロセッサー４００１によって実行される時に、以下の実施例におけるエアコンの制御方法を実現するステップを実行する。エアコン制御装置４００は上記エアコン内に取り付けられてもよく、上記エアコンの制御端末から独立されてもよい。
【００３４】
図３を参照し、本願の実施例はエアコンの制御方法を提供し、前記エアコンの制御方法は、以下のステップを含む。
ステップＳ１０：無風感運転モードにおいて、室内環境の湿度を取得する。
エアコンがユーザの無風感制御指示を受信した後に、無風感運転モードに入り、この際にエアコンの室内機１が位置する室内環境の室内環境湿度を取得可能である。
ステップＳ２０：前記室内環境の湿度に応じて前記第１導風板２００の遮風位置を確定する。
上記ステップＳ１０を実行する前に、複数の所定湿度及びそれに対応する第１導風板２００の所定遮風位置の対応関係を予め設置してもよい。所定遮風位置は第１導風板２００が送風口１１０に被さる時の位置であってもよく、送風口１１０の一部を塞ぐ時の位置であってもよい。具体的に、１つの所定湿度が１つの所定遮風位置に対応されてもよく、１つの所定湿度区間が１つの所定遮風位置に対応されてもよく、または他の所定湿度と所定遮風位置との対応関係などであってもよい。所定遮風位置の確定はコンピューターシミュレーションまたは大量の実験データから得られる。ある所定湿度またはある設けられる湿度区間に存在する時に、第１導風板２００は対応する所定遮風位置まで回動し、この時に送風口１１０の送風量は、当該所定湿度または設けられる湿度区間内の湿度において室内の空気が第１導風板２００で凝縮水の現象が形成されることを避けることができる。
【００３５】
室内環境の湿度を取得した後に、室内環境の湿度と上記所定対応関係に応じて第１導風板２００の遮風位置を確定することができる。具体的に、室内環境の湿度と、所定対応関係における所定湿度または所定湿度区間とをマッチングし、マッチングができると、対応する所定遮風位置を第１導風板２００の遮風位置とする。
【００３６】
ステップＳ３０：前記第１導風板２００を制御して前記遮風位置まで回動させる。
【００３７】
第１導風板２００を制御して以上で確定された遮風位置まで回動させ、エアコンの送風口１１０の送風量を現在の室内環境の湿度に適合させ、現在の室内環境の湿度における室内の空気が第１導風板２００で結露を形成しないようにさせる。本発明の実施例において、無風感運転モードにおいて、室内環境の湿度を取得することによって、室内環境の湿度に応じて第１導風板２００の遮風位置を確定し、第１導風板２００を制御して上記確定した遮風位置まで回動させ、第１導風板２００を無風感運転モードにおいて室内環境の湿度に適合される遮風位置まで回動可能にし、ユーザの無風感のニーズを保証しながら、エアコンの凝縮水の現象の発生を避ける。
【００３８】
第１導風板２００を制御して上記送風位置まで回動させながら、第２導風板７００を制御して現在の導風位置に維持してもよく、エアコンの冷房に対するニーズまたは他のユーザのニーズに応じて第２導風板７００の導風位置を確定することができる。具体的に、上記した室内環境の湿度に応じて第１導風板２００の遮風位置を確定することを実行した後に、確定した導風位置によって室内機１における送風風道１１１内の第２導風板７００の偏向角度を確定することができ、第１導風板２００を現在の室内環境の湿度に適合される遮風位置まで回動させる上で、第２導風板７００によってエアコンの送風風向をユーザから離れるように制御し、ユーザの無風感体験をさらに向上する。
【００３９】
具体的に、図４に示すように、前記室内環境の湿度に応じて前記第１導風板２００の遮風位置を確定するステップは、
前記室内環境の湿度が存在する湿度区間を判断するステップＳ２１と、
前記湿度区間に応じて対応する遮風位置を確定するステップＳ２２と、を含む。
【００４０】
室内環境の湿度を取得した後に、上記所定対応関係において、複数の所定湿度区間内で室内環境の湿度が存在する所定湿度区間を確定し、確定した所定湿度区間に対応する所定遮風位置を第１導風板２００の遮風位置とする。
【００４１】
複数の所定湿度区間の区間間隔と区間の境界値は実際の状況に応じて設置することができる。複数の所定湿度区間は実際のニーズに応じて連続な区間として設置されてもよく、不連続な区間として設置されてもよい。
【００４２】
室内環境の湿度が存在する湿度区間を判断することで、室内環境の湿度が存在する湿度区間によって対応する遮風位置を確定することは、第１導風板２００の遮風位置が室内環境の湿度に適合されることに有利でありながら、室内環境の湿度につれて頻繁に変更されることなく、エアコンの運転の安定性が保証される。
【００４３】
室内環境の湿度が存在する湿度区間によって対応する遮風位置を確定するほか、室内環境の湿度を複数の所定湿度にマッチングしてもよく、室内環境の湿度にマッチングされる所定湿度が存在すれば、所定湿度に対応する所定遮風位置を第１導風板２００の遮風位置とする。
【００４４】
具体的に、図５に示すように、前記ステップＳ２１は、以下を含む。
【００４５】
ステップＳ２１１：前記室内環境の湿度が第１所定湿度以下であるか否かを判断する。
Ｙｅｓの場合に、ステップＳ２１２を実行し、Ｎｏの場合に、ステップＳ２１３を実行する。
【００４６】
ステップＳ２１２：前記室内環境の湿度が第１所定湿度区間に存在することを確定する。
ステップＳ２１３：前記室内環境の湿度が第２所定湿度以上であるか否かを判断する。
Ｙｅｓの場合に、ステップＳ２１４を実行し、Ｎｏの場合に、ステップＳ２１５を実行する。
【００４７】
ステップＳ２１４：前記室内環境の湿度が第２所定湿度区間に存在することを確定する、
ステップＳ２１５：前記室内環境の湿度が第３所定湿度区間に存在することを確定する、
前記ステップＳ２２は、以下を含む。
【００４８】
ステップＳ２２１：前記室内環境の湿度が第１所定湿度区間に存在する場合に、前記遮風位置を第１位置として確定する。
ステップＳ２２２：前記室内環境の湿度が第２所定湿度区間に存在する場合に、前記遮風位置を第２位置として確定する。
前記第１位置に対応するエアコンの送風面積は前記第２位置に対応するエアコンの送風面積より小さい。
【００４９】
所定湿度区間は具体的に３つ設けてもよく、第１所定湿度と第２所定湿度はそれぞれ所定湿度区間の境界値とされる。第１所定湿度は具体的に当該湿度の空気が第１導風板２００で凝縮水が形成されない湿度の最大値であってもよく、第２所定湿度は具体的に当該湿度の空気が送風量が不足する場合に第１導風板２００で凝縮水が極めて形成されやすい湿度の最小値であってもよい。第２所定湿度は第１所定湿度より大きく、第１所定湿度と第２所定湿度の具体的な数値は実際のニーズに応じて設置されてもよい。具体的に、湿度値が第１所定湿度以上のものが第１所定湿度区間に分けられ、湿度値が第２所定湿度以上のものが第２所定湿度区間に分けられ、湿度値が第１所定湿度より大きくて第２所定湿度より小さいものが第３所定湿度区間に分けられる。第１所定湿度区間に対応する所定遮風位置は第１位置であり、第２所定湿度区間に対応する所定遮風位置は第２位置である。
【００５０】
第１位置に対応するエアコンの送風面積は第２位置に対応するエアコンの送風面積より小さい。第１位置は具体的にエアコンの送風面積が小さい時に第１導風板２００の所在する位置であり、第２位置は具体的に阻み板が送風口１１０の一部を塞ぐ第１導風板２００の位置であり、エアコンの無風感効果と凝縮水の発生を避けることを総合的に考慮して設置してもよい。第１位置と第２位置は第１導風板２００の構造に適合されるか、またはエアコンの他の制御に合わせて、他の位置として設定されてもよい。
【００５１】
第１所定湿度区間に対応する第１位置を第１導風板２００が送風口１１０に被さる位置として設置してもよく、送風口１１０の送風面積を最小にさせ、現在の室内環境の湿度において空気が第１導風板２００で凝縮水が形成されないことが保証される前提で、エアコンの吹き出した気流が完全に分散され、エアコンの無風感効果を最適に達することができる。
【００５２】
室内環境の湿度が第３所定湿度区間に存在する場合に、第１導風板２００では必ずしも凝縮水が発生するわけではない。第３所定湿度区間に対応する所定遮風位置として第３位置を設置してもよく、第３位置に対応するエアコンの送風面積は第１位置と第２位置との間であってもよい。所定遮風位置に対応するエアコンの送風面積が湿度の増大につれて増大し、エアコンの送風面積の増大によってエアコンの送風量が増大されることを実現し、よって、湿度の増大で第１導風板２００で凝縮水が発生することを避ける。また、第３所定湿度区間は他の遮風位置に対応されてもよく、室内環境の湿度が第３所定湿度区間に存在する場合に、遮風位置は具体的に第１導風板２００の現在の位置またはその他の設定位置であってもよく、さらに例えばコンプレッサーの運転周波数など他の制御を結合して凝縮水の発生を避ける。
【００５３】
本実施例において、第１所定湿度と第２所定湿度によって湿度値を３つの所定湿度区間に分け、室内環境の湿度が凝縮水の発生しない第１所定湿度区間にある時に、第１導風板２００の遮風位置を送風面積が小さい第１位置に確定し、エアコンの無風感効果を向上する。室内環境の湿度が凝縮水の発生する第２所定湿度区間にある時に、第１導風板２００の遮風位置を送風面積が大きい第２位置に確定し、無風感の効果を実現しながらエアコンの凝縮水が発生することを避ける。
【００５４】
さらに、無風感運転モードにおいて、室内環境の湿度を取得するステップの前に、
前記無風感運転モードをオンにする指示を受信した時に、前記第１導風板２００を制御して前記第２位置まで回動させるステップＳ００をさらに含む。
【００５５】
ユーザから発信された無風感モードをオンにする指示を受信したときに、第１導風板２００を制御して第２位置まで回動させ、ユーザにエアコンが無風感モードに既に入ったことを直観的にフィードバックすることができる一方、現在の室内環境の湿度に関係なく第１導風板２００上で凝縮水が発生する現象が発生しないように保証することができる。
【００５６】
具体的に、第１導風板２００が送風口１１０に被さる時に、第１導風板２００の上縁と回転軸３００とが位置する平面を基準面として定義し、第１導風板２００が送風口１１０を開ける時に、第１導風板２００の上縁と回転軸３００とが位置する平面を活動面として定義し、活動面と基準面との角度をαとして定義し、第２位置に対応するαの値の範囲は［２５°，３５°］である。室内環境の湿度が第２所定湿度以上の場合に、設置された第２位置のαの角度が２５°より小さい時に、第１導風板２００が対応する第２位置に回動し、エアコンの送風面積が足らず、送風量が不足し、凝縮水の現象が発生してしまい、設置された第２位置のαの角度が３５°より大きい時に、第１導風板２００が対応する第２位置に回動し、エアコンの送風面積が大きすぎてエアコンの無風感効果に影響を与えてしまうため、第２位置を設置する時に、第２位置に対応するαの値を［２５°，３５°］の範囲内に設置し、エアコンの良い無風感効果を保証しながら、室内環境の湿度が大きい時に第１導風板２００で凝縮水が発生しないことを保証することができる。具体的に、第２位置に対応するαの値は２６°、２７．５°、３０°、３２．５°などであってもよい。
【００５７】
具体的に、上記第２位置のαが［２５°，３５°］の範囲内に設置される上で、前記第１導風板２００の上縁と前記送風口１１０の上縁との間隔距離をＭとして定義し、前記第２位置に対応する前記Ｍの値の範囲は［４０ｍｍ，６０ｍｍ］である。室内環境の湿度が第２所定湿度以上の場合に、設置された第２位置のＭが４０ｍｍより小さい時に、第１導風板２００が対応する第２位置に回動し、エアコンの送風面積が足らず、送風量が不足し、凝縮水の現象が発生してしまう可能性があり、設置された第２位置のＭが６０ｍｍより大きい時に、第１導風板２００が対応する第２位置に回動し、エアコンの送風面積が大きすぎてエアコンの無風感効果に影響を与えてしまうため、第２位置を設置する時に、第２位置に対応するＭの値を［４０ｍｍ，６０ｍｍ］の範囲内に設置し、エアコンの良い無風感効果を保証しながら、室内環境の湿度が大きい時に第１導風板２００で凝縮水が発生しないことを保証することができる。具体的に、第２位置に対応するＭの値は４４ｍｍ、４８ｍｍ、５０ｍｍ、５３ｍｍ、５７ｍｍなどであってもよい。なお、第２位置に対応するαが［２５°，３５°］内で、Ｍが［４０ｍｍ，６０ｍｍ］内で任意に値を取得して組合せたものはいずれもエアコンのよい無風感効果を保証しながら、室内環境の湿度が大きい時に第１導風板２００で凝縮水が発生しないことを保証することができる。
【００５８】
具体的に、上記第２位置のαの値が［２５°，３５°］の範囲内に設置される上で、前記第１導風板２００の下縁と前記送風口１１０の下縁との間隔距離をＮとして定義し、前記第２位置に対応する前記Ｎの値の範囲は［１５ｍｍ，３５ｍｍ］である。室内環境の湿度が第２所定湿度以上の場合に、設置された第２位置のＮが１５ｍｍより小さい時に、第１導風板２００が対応する第２に回動し、第１導風板２００の下縁と送風口１１０の下縁の距離が小さすぎて、干渉になりやすく、第１導風板の回動に影響を与えてしまい、設置された第２位置のＮが３５ｍｍより大きい時に、第１導風板２００が対応する第２に回動され、第１導風板２００の下縁と送風口１１０の下縁の距離が大きすぎて、エアコン内の風を送風口１１０の下縁から吹き出させやすく、エアコンの下にいるユーザに向いて吹き、エアコンの無風感効果とユーザの快適性に影響を与えてしまう。そのため、第２位置を設置する時に、第２位置に対応するＮの値を［１５ｍｍ，３５ｍｍ］の範囲内に設置し、第１導風板２００がスムーズに回動しつつ、エアコンのよい無風感効果を保証しながら、室内環境の湿度が大きい時に第１導風板２００で凝縮水が発生しないことを保証することができる。具体的に、第２位置に対応するＮの値は１８ｍｍ、２０ｍｍ、２５ｍｍ、３０ｍｍ、３５ｍｍなどであってもよい。なお、第２位置に対応するαが［２５°，３５°］内で、Ｍが［１５ｍｍ，３５ｍｍ］内で任意に値を取得して組合せたものはいずれもエアコンのよい無風感効果を保証しながら、室内環境の湿度が大きい時に第１導風板２００で凝縮水が発生しないことを保証することができる。
【００５９】
また、第２位置のＭの値を［４０ｍｍ，６０ｍｍ］の範囲内に設置した上で、Ｎの値を［１５ｍｍ，３５ｍｍ］の範囲内に設置することも、エアコンのよい無風感効果を保証しながら、室内環境の湿度が大きい時に第１導風板２００で凝縮水が発生しないことを保証することができる。なお、第２位置に対応するＭが［４０ｍｍ，６０ｍｍ］内で、Ｎが［１５ｍｍ，３５ｍｍ］内で任意に値を取得して組合せたものはいずれも第１導風板２００がスムーズに回動することを実現しながら、エアコンのよい無風感効果を保証し、室内環境の湿度が大きい時に第１導風板２００で凝縮水が発生しないことを保証する。
【００６０】
なお、本文において、「含む」、「備える」又はその他の全てのバリエーションの技術用語は、非排他的な包括をカバーすることを意図し、よって、一連の要素を含む過程、方法、物品またはシステムが、それらの要素のみ含むのではなく、明確的に列挙されていないほかの要素も含み、またはこの過程、方法、物品またはシステムの固有要素をさらに含む。さらに制限がない場合に、「……を１つ含む」という語句で限定された要素は、当該要素を含む過程、方法、物品またはシステムにおいてほかの同じ要素がさらに存在することを排除するわけではない。
【００６１】
上記本願の実施例の番号は説明するためのみで、実施例の優劣を表すものではない。
【００６２】
上記実施形態の説明によって、当業者は、上記実施形態の方法がソフトウェアおよび必要な一般的なハードウェアプラットフォームによって実現可能であり、もちろんハードウェアによっても可能であるが、多くの場合に、前者がよりよい実施形態であることを、明確に理解できる。そのような理解に基づいて、本願の技術案は実質的に、または先行技術に対して貢献した部分は、ソフトウェア製品の形で具現化され得て、当該コンピューターソフトウェア製品が例えば上記のような１つの記憶媒体（例えばＲＯＭ／ＲＡＭ、磁気ディスク、光ディスク）に記憶され、１つの端末装置（携帯電話、コンピューター、サーバー、エアコン、またはネットワーク装置などであってもよい）に本出願のさまざまな実施形態で説明した方法を実行させるための複数の命令を含む。
【００６３】
以上は本願の好ましい実施例にすぎず、それによって本願の保護範囲を制限するわけではない。本願の明細書及び図面の内容を利用してなされた等価構造或いは等価フローの変換、或いは直接または間接的な他の関連する技術分野への応用は、同じ理由で本願の特許の保護範囲に含まれる。
【図１】
0006902623.tif 000002
【図２】
0006902623.tif 000003
【図３】
0006902623.tif 000004
【図４】
0006902623.tif 000005
【図５】
0006902623.tif 000006